(57)【要約】【課題】ベルト本体が人の腰回りの曲線にピッタリ沿うことができるカーブ形状に形成されているストレッチカーブベルトを提供する。【解決手段】長尺で帯状のベルト本体１２と、ベルト本体の一端部に設けられ他端部を差し込んで保持するバックル１３とからなり、ベルト本体は、人の腰回りの曲線に沿うことができるカーブ形状に形成されている。カーブ形状は、パンツの後身頃パターン１７の上端縁１７ａの曲線に沿った形状であることが望ましい。ベルト本体をこのような曲線にすることで、ベルト本体とベルトループ等に負荷が掛からず、パンツを着用したときに違和感を感じない。【選択図】図２
0003217847.tif 000002
【実用新案登録請求の範囲】
【請求項１】
長尺で帯状のベルト本体と、該ベルト本体の一端部に設けられ他端部を差し込んで保持するバックルとからなり、
前記ベルト本体は、人の腰回りの曲線に沿うことができるカーブ形状に形成されていること
を特徴とするストレッチカーブベルト。
【請求項２】
前記カーブ形状は、パンツの後身頃パターンの上端縁の曲線に沿った形状であること
を特徴とする請求項１に記載のストレッチカーブベルト。
【請求項３】
前記ベルト本体は、革の繊維をほぐすように鞣し加工を施した状態の柔軟で伸縮性を備える床革と、該床革の表面又は裏面に貼着した発泡ポリウレタン層とを備え、
当該ベルト本体の少なくとも縁部に沿った位置は、伸縮性を備える糸で縫着したこと
を特徴とする請求項１に記載のストレッチカーブベルト。
【考案の詳細な説明】
【技術分野】
【０００１】
本考案は、ベルトループに通してパンツを着用するためのストレッチカーブベルトに関するものであり、更に詳しくは、ベルト本体が人の腰回りの曲線にピッタリ沿うことができるカーブ形状に形成されていると共に、伸縮性と柔軟性とを備えているストレッチカーブベルトに関するものである。
【背景技術】
【０００２】
人の腰回りは、図５（イ）（ロ）（ハ）に示すように、曲線で構成されている。従って、直線状の紐１を腰回り２ａに巻いたときには、人２の正面図（図５（イ）参照）、人２の背面図（図５（ロ）参照）、及び人２の側面図（図５（ハ）参照）のいずれにも示すように、紐１が一直線とはならずに、曲線状に表れるのである。
【０００３】
一方、従来の伸縮が可能な皮革のベルトとしては、実用新案登録第３０３３８８９号公報に開示されたゴムベルト付き皮ベルトが知られている。このゴムベルト付き皮ベルトは、長尺な皮ベルトとバックルとの間に短手のゴムベルトを連設した構成である（特許文献１参照）。
【０００４】
このような構成のゴムベルト付き皮ベルトは、立ったり座ったりしたときなどに、その動きに追従してゴムベルトが伸縮するので、腰回りと皮ベルトとの間に生じる緩みを吸収して、ズボンのズレ下がりを防止する。
【先行技術文献】
【特許文献】
【０００５】
【特許文献１】実用新案登録第３０３３８８９号公報
【考案の概要】
【考案が解決しようとする課題】
【０００６】
図６に示す直線状で帯状のベルト３を、ベルトループ５に通してパンツ４を着用したときには、図７（イ）（ロ）（ハ）に示すように、ベルト本体３ａが腰回り２ａの曲線にピッタリと沿うことができずに、ベルトループ５及びベルト本体３ａ等に負荷が掛かることとなる。
【０００７】
つまり、ベルトループ５が上方に引っ張られたて吊り部６が発生したり、あるいは、ベルト本体３ａ又はバックル３ｂ等と腰回り２ａとの間に、不自然な隙間７が生じることとなる。その結果、パンツ４を着用したときの違和感を強く感じるだけでなく、ベルト本体３ａやベルトループ５等を傷める原因となるという問題点を有している。
【０００８】
また、従来例のゴムベルト付き皮ベルトにおいては、長尺な皮ベルトは伸縮せずに、短手のゴムベルトだけが伸縮するので、皮ベルトが使用者の腰の動きに追従せずに、皮ベルトが腰回りにフィットしないで違和感が生じるという欠点を有している。
【０００９】
従って、直線状で帯状のベルト３においては、パンツ４を着用したときの吊り部６や隙間７の発生を防止して違和感を解消し、更には、ベルト本体３ａやベルトループ５等の損傷を防止することに解決しなければならない課題を有している。
そして、ゴムベルト付き皮ベルトにおいては、使用者の腰の動きにしっかりと追従して腰回りの違和感を無くすことと、使用者が動き易くてゆったり感が実感できることとに解決しなければならない課題を有している。
【課題を解決するための手段】
【００１０】
前記従来例の課題を解決するための本考案の要旨は、長尺で帯状のベルト本体と、該ベルト本体の一端部に設けられ他端部を差し込んで保持するバックルとからなり、前記ベルト本体は、人の腰回りの曲線に沿うことができるカーブ形状に形成されていることである。
【００１１】
また、前記カーブ形状は、パンツの後身頃パターンの上端縁の曲線に沿った形状であること、；
前記ベルト本体は、革の繊維をほぐすように鞣し加工を施した状態の柔軟で伸縮性を備える床革と、該床革の表面又は裏面に貼着した発泡ポリウレタン層とを備え、当該ベルト本体の少なくとも縁部に沿った位置は、伸縮性を備える糸で縫着したこと、；
を含むものである。
【考案の効果】
【００１２】
本考案に係るストレッチカーブベルトによれば、ベルト本体が人の腰回りの曲線に沿うことができるカーブ形状に形成されていることによって、ベルトループに通してパンツを着用したときに、ベルト本体が腰回りの曲線にピッタリ沿うことができる。つまり、ベルト本体とベルトループとに負荷が掛からない。
従って、ベルトループが上方に引っ張られる吊り部の発生がなく、また、ベルト本体又はバックルと腰回りとの間に、不自然な隙間が生じないので、パンツを着用したときの違和感を全く感じない。更には、ベルト本体やベルトループを傷めることがないという種々の優れた効果を奏する。
【００１３】
また、カーブ形状は、パンツの後身頃パターンの上端縁の曲線に沿った形状であることによって、ベルト本体が腰回りの曲線にピッタリ沿うことができるので、ベルトループに吊り部が発生することなく、ベルト本体やバックルと腰回りとの間に不自然な隙間が生じないという優れた効果を奏する。
【００１４】
ベルト本体は、革の繊維をほぐすように鞣し加工を施した状態の柔軟で伸縮性を備える床革と、床革の表面又は裏面に貼着した発泡ポリウレタン層とを備えることによって、伸縮性と柔軟性とが極めて良好であり、約２〜５ｃｍ程度の伸縮が可能である。
また、ベルト本体の縁部に沿った位置は、伸縮性を備える糸で縫着したことにより、糸がベルト本体の伸縮に追従して伸縮できる。
このように、ストレッチレザーベルトが約２〜５ｃｍ程度伸縮することによって、立ったり座ったりしたときなどに、その腰の動きにしっかり追従して伸縮するので、腰回りにフィットして違和感が生じないだけでなく、動き易くてゆったり感が実感できるという優れた効果を奏する。
【図面の簡単な説明】
【００１５】
【図１】本考案に係るストレッチカーブベルトの正面図である。
【図２】本考案に係るストレッチカーブベルトをパンツの後身頃パターンの上端縁の曲線に沿った形状にすることを説明する説明図である。
【図３】（イ）本考案に係るストレッチカーブベルトを着用した人の正面図である。（ロ）本考案に係るストレッチカーブベルトを着用した人の背面図である。（ハ）本考案に係るストレッチカーブベルトを着用した人の側面図である。
【図４】床革と発泡ポリウレタン層とを備えるベルト本体の要部を拡大した断面図である。
【図５】（イ）直線状の紐を腰回りに巻いた人の正面図である。（ロ）直線状の紐を腰回りに巻いた人の背面図である。（ハ）直線状の紐を腰回りに巻いた人の側面図である。
【図６】従来の直線状で帯状のベルトの正面図である。
【図７】（イ）従来の直線状のベルトを着用した人の正面図である。（ロ）従来の直線状のベルトを着用した人の背面図である。（ハ）従来の直線状のベルトを着用した人の側面図である。
【考案を実施するための形態】
【００１６】
次に、本考案の実施の形態について図面を参照しながら説明する。まず、図１において、符号１１はストレッチカーブベルトを示し、このストレッチカーブベルト１１は、長尺で帯状なベルト本体１２と、ベルト本体１２の一端部１２ａに設けられ、他端部１２ｂを差し込んで保持するバックル１３とから構成される。
【００１７】
ベルト本体１２は、図１に示すように、人の腰回りの曲線に沿うことができるカーブ形状に形成されている。
カーブ形状は、具体的には、図２に示すように、パンツの後身頃パターン１７の上端縁１７ａの曲線に沿った形状であることが望ましい。
【００１８】
このように、ベルト本体１２が人の腰回り２０の曲線に沿うことができるカーブ形状に形成されることによって、図３（イ）（ロ）（ハ）に示すように、ベルトループ１８に通してパンツ１９を着用したときに、ベルト本体１２が腰回り２０の曲線にピッタリ沿うことができるので、ベルト本体１２とベルトループ１８等に負荷が掛からない。
【００１９】
従って、ベルトループ１８が上方に引っ張られる吊り部の発生がなく、また、ベルト本体１２又はバックル１３と腰回りとの間に、不自然な隙間が生じないので、パンツ１９を着用したときの違和感を全く感じない。そして、ベルト本体１２やベルトループ１８を傷めることがない。
【００２０】
更には、立ったり座ったりしたときに、シャツや下着のはみ出しがなく、パンツのズリ落ちがしにくくなると共に、シルエットを崩すことがない。
【００２１】
また、ベルト本体１２は、図４に示すように、革の繊維をほぐすように鞣し加工を施して柔軟で伸縮性を備える床革１４と、床革１４の表面又は裏面に貼着した発泡ポリウレタン層１５とを備える。
【００２２】
床革１４は、例えば牛革の表皮を除いた下部の部位を用いて鞣したものであり、一般に用いられるクロム鞣し剤（塩基性硫酸塩）に換えて、特殊なケミカル鞣し剤を使用して、繊維をほぐして伸縮するように加工したものである。これによって安定した伸縮性を備える床革１４が形成される。
【００２３】
発泡ポリウレタン層１５は、ウレタン系の合成樹脂に発泡剤を加えて形成している。特に、ポリウレタンに発泡剤を加えたものであって、伸縮性に優れた発泡ポリウレタン層１５が形成される。
【００２４】
また、ベルト本体１２の縁部１２ｃ（図１参照）に沿った位置は、伸縮性を備える糸で縫着してある。伸縮性を備える糸は、例えばテトロン糸が望ましい。このように、ベルト本体１２の縁部１２ｃの縫着に伸縮性を備える糸を用いることによって、糸がベルト本体１２の伸縮に追従して伸縮できる。
【００２５】
このように、ストレッチレザーベルト１１は、ベルト本体１２が革の繊維をほぐすように鞣し加工を施して柔軟で伸縮性を備える床革１４と、床革１４の表面又は裏面に貼着した発泡ポリウレタン層１５とを備えることによって、伸縮性と柔軟性とが極めて良好であり、約２〜５ｃｍ程度の伸縮が可能である。
そして、立ったり座ったりしたときなどに、その腰の動きにしっかり追従して伸縮するので、腰回りにフィットして違和感が生じないだけでなく、動き易くてゆったりした感じが実感できる。
【符号の説明】
【００２６】
１    紐
２    人
２ａ  腰回り
３    ベルト
３ａ  ベルト本体
３ｂ  バックル
４    パンツ
５    ベルトループ
６    吊り部
７    隙間
１１  ストレッチカーブベルト
１２  ベルト本体
１２ａ一端部
１２ｂ他端部
１２ｃ縁部
１３  バックル
１４  床革
１５  発泡ポリウレタン層
１７  パンツの後身頃パターン
１７ａ上端縁
１８  ベルトループ
１９  パンツ
２０  腰回り
【図１】
0003217847.tif 000003
【図２】
0003217847.tif 000004
【図３】
0003217847.tif 000005
【図４】
0003217847.tif 000006
【図５】
0003217847.tif 000007
【図６】
0003217847.tif 000008
【図７】
0003217847.tif 000009